(57)【要約】【課題】複数の加熱コイルをそれぞれ効率よく冷却する。【解決手段】冷却ファン４３からの冷却風を加熱コイル１４，１５，１６に導く冷却ダクト３３は、３個の加熱コイルの１４，１５，１６下方に配置する。その冷却ダクト３３に、各加熱コイル１４，１５，１６のそれぞれに対応して冷却ファン４３からの冷却風が通過する複数の孔４１を設け、かつ前部が表示部２５の下方まで延びる構成とする。【選択図】図１
2010212189.tif 000002
【特許請求の範囲】
【請求項１】
調理器具が載置されるトッププレートと、
このトッププレートの下方に配設され、前記調理器具を誘導加熱する複数の加熱コイルと、
前記加熱コイルを冷却するための冷却風を送風する１個の冷却ファンと、
この冷却ファンからの冷却風を前記加熱コイルに導く冷却ダクトと、
前記トッププレートの下方でかつ前記加熱コイルより前方に配設され、前記加熱コイルの加熱状態を表示する表示部と、を備え、
前記冷却ダクトは、前記複数の加熱コイルの下方に配置されるとともに、前記複数の加熱コイルのそれぞれに対応して前記冷却ファンからの冷却風が通過する複数の孔を有し、かつ前部が前記表示部の下方まで延びていることを特徴とする誘導加熱調理器。
【請求項２】
前記冷却ダクトの下方に配設されたケースと、
このケース内に配設され、前記複数の加熱コイルを制御するためのインバータ回路を含む制御部と、
前記ケースの上部に設けられ、前記冷却ファンからの冷却風を前記冷却ダクト側と前記ケース内側とに分けて前記加熱コイルと前記制御部を並列的に冷却するための分流板と、を備えたことを特徴とする請求項１記載の誘導加熱調理器。
【請求項３】
前記加熱コイルは少なくとも３個存し、
前記冷却ダクト内に、当該冷却ダクト内に送風された冷却風を、前記加熱コイルのうち下流側に存する２個の加熱コイルに対応するように分けて流すための第２の分流板を設けたことを特徴とする請求項１または２記載の誘導加熱調理器。
【請求項４】
前記ケースに、当該ケース内の前記制御部を冷却した冷却風を前記冷却ダクト内に排出する排気口を設けたことを特徴とする請求項２記載の誘導加熱調理器。
【請求項５】
前記冷却ダクト内に、前記分流板にて分流されて前記冷却ダクト内に送風された冷却風と、前記ケース内を通過して前記排気口から前記冷却ダクト内に送風された冷却風とを区切る区切り板を設けたことを特徴とする請求項４記載の誘導加熱調理器。
【請求項６】
前記複数の加熱コイルはそれぞれ支持脚を介して配設され、
前記支持脚を前記冷却ダクトの範囲内に配置する部位において、前記冷却ダクトに当該冷却ダクトの上面から下方に向けて突出する筒部を設け、この筒部の内部に、前記支持脚を配置するようにしたことを特徴とする請求項１から５のいずれか一項に記載の誘導加熱調理器。
【請求項７】
前記表示部は、前記冷却ダクトに支持させたことを特徴とする請求項１から６のいずれか一項に記載の誘導加熱調理器。
【請求項８】
前記表示部の前方に操作部を備え、
前記冷却ダクトの前部に、前記操作部を冷却する冷却風を吹き出す冷却風吹出し口を設けたことを特徴とする請求項１から７のいずれか一項に記載の誘導加熱調理器。
【請求項９】
前記複数の加熱コイルは、
前記冷却ファンの前方に位置する第１の加熱コイルと、
この第１の加熱コイルの横で、かつ前記第１の加熱コイルと前後方向の位置がほぼ同じ位置に配置された第２の加熱コイルと、
前記第１の加熱コイルと前記第２の加熱コイルとの間の後方で、かつ前記冷却ファンの横に配置された第３の加熱コイルと、により構成され、
前記冷却ダクトは、前記第１、第２及び第３の加熱コイルの下方に配置されて、上方から見てほぼ凸字形状に形成され、かつ前記冷却ファンから前記冷却ダクト内に冷却風を送風するための送風口の横に対応する部位に、前記第１の加熱コイルと前記第３の加熱コイルとの間に入り込むような切込み部を有する形状としたことを特徴とする請求項１から８のいずれか一項に記載の誘導加熱調理器。
【発明の詳細な説明】
【技術分野】
【０００１】
本発明は、トッププレートを介して調理器具を誘導加熱する加熱コイルを複数備えた誘導加熱調理器に関する。
【背景技術】
【０００２】
この種の誘導加熱調理器において、複数の加熱コイルを冷却する場合、冷却ファンからの冷却風を、冷却ファン近くの加熱コイルに送風し、その送風した風を下流の加熱コイルに送風していた（例えば、特許文献１参照）。
【先行技術文献】
【特許文献】
【０００３】
【特許文献１】特開２００５−３０２７３５号公報（図２０、図２１参照）
【発明の概要】
【発明が解決しようとする課題】
【０００４】
上記した従来構成のものでは、下流側の加熱コイルは、上流側の加熱コイルにより熱せられた風が送られることになるため、その下流側の加熱コイルが冷却され難いという課題があった。
【０００５】
本発明は上記した事情に鑑みてなされたものであり、その目的は、複数の加熱コイルをそれぞれ効率よく冷却することができる誘導加熱調理器を提供することにある。
【課題を解決するための手段】
【０００６】
上記した目的を達成するために、本発明の誘導加熱調理器は、調理器具が載置されるトッププレートと、このトッププレートの下方に配設され、前記調理器具を誘導加熱する複数の加熱コイルと、前記加熱コイルを冷却するための冷却風を送風する１個の冷却ファンと、この冷却ファンからの冷却風を前記加熱コイルに導く冷却ダクトと、前記トッププレートの下方でかつ前記加熱コイルより前方に配設され、前記加熱コイルの加熱状態を表示する表示部と、を備え、前記冷却ダクトは、前記複数の加熱コイルの下方に配置されるとともに、前記複数の加熱コイルのそれぞれに対応して前記冷却ファンからの冷却風が通過する複数の孔を有し、かつ前部が前記表示部の下方まで延びていることを特徴とする。
【発明の効果】
【０００７】
本発明によれば、冷却ファンからの冷却風を加熱コイルに導く冷却ダクトを、複数の加熱コイルの下方に配置し、その冷却ダクトに、前記複数の加熱コイルのそれぞれに対応して複数の孔を形成しているので、それらの孔を通過した新鮮な冷却風により複数の各加熱コイルを直接的に冷却することが可能になり、それら複数の加熱コイルを効率よく冷却することが可能になる。
【０００８】
また、冷却ダクトの前部を、加熱コイルより前方に存する表示部の下方まで延ばしているので、冷却ダクトの前部を加熱コイルの下方までとした場合に比べて、冷却ダクトの通風のための容積を大きくすることが可能になる。その分、通風抵抗を少なくでき、結果的に冷却ダクトを通過する冷却風の風量を増加させることが可能になり、前記加熱コイルを一層効率よく冷却することが可能になる。
【図面の簡単な説明】
【０００９】
【図１】本発明の第１の実施形態を示すもので、トッププレート及び加熱コイルを除いた状態での誘導加熱調理器の平面図
【図２】誘導加熱調理器の外観斜視図
【図３】縦断側面図
【図４】図１のＸ１−Ｘ１線に相当する部分で切断した状態で示す支持脚部分の拡大断面図
【図５】表示部及び操作部付近の拡大縦断側面図
【図６】本発明の第２の実施形態を示す図１相当図
【発明を実施するための形態】
【００１０】
（第１の実施形態）
以下、本発明の第１の実施形態について図１から図５を参照して説明する。
まず、図２には本発明の誘導加熱調理器１の全体の外観斜視図が示されている。この誘導加熱調理器１は、図示はしないがシステムキッチン組み込まれるビルトインタイプのものである。
【００１１】
誘導加熱調理器１は、矩形箱状をなす本体ケース２と、この本体ケース２の上面開口部を閉鎖するように本体ケース２の上面に配設されるトッププレート３とを備えている。本体ケース２の左部には、引出し式の扉４を有するロースタ５が設けられている。ロースタ５の内部には、図示はしないがシーズヒータが設けられている。本体ケース２の前面右部には、開閉式の操作ユニット６が設けられている。本体ケース２の後部には、トッププレート３より後方に位置させて、図１に示すように、右部に吸気口７が設けられ、また、左部にロースタ用排気口８と本体ケース用排気口９が設けられている。これら吸気口７、ロースタ用排気口８、及び本体ケース用排気口９は、多数の通気孔を有するカバー部材１０により覆われている。
【００１２】
前記トッププレート３は、誘導加熱調理器１の上面を構成するもので、例えば透明な耐熱強化ガラスにより平板状に形成されている。このトッププレート３の上面には、第１の加熱部１１、第２の加熱部１２及び第３の加熱部１３がそれぞれ円形の枠で表示されている。このうち第１の加熱部１１と第２の加熱部１２は、トッププレート３の上面における前部の右部と左部に並べて配置され、第３の加熱部１３は、第１の加熱部１１と第２の加熱部１２の間の後方に配置されている。第１の加熱部１１と第２の加熱部１２は、ほぼ同じ直径の円形にて形成され、第３の加熱部１３は、それら第１及び第２の加熱部１１，１２よりも小さな直径の円形にて形成されている。これら第１、第２、第３の加熱部１１，１２，１３に、図示しない調理器具が載置される。
【００１３】
そして、トッププレート３の下方で、かつ本体ケース２内には、詳細には示されていないが、第１の加熱部１１の下方に位置させて第１の加熱コイル１４が配設され、第２の加熱部１２の下方に位置させて第２の加熱コイル１５が配設され、第３の加熱部１３の下方に位置させて第３の加熱コイル１６が配設されている。したがって、本実施形態においては、トッププレート３の下方に複数、この場合３個の加熱コイル１４，１５，１６が、上から見て三角形の各頂点に位置するように配設されている（図１参照）。
【００１４】
これら第１〜第３の３個の加熱コイル１４，１５，１６は、トッププレート３の上面に載置された調理器具を誘導加熱するものであり、これら３個の加熱コイル１４，１５，１６により、いわゆる３口ＩＨクッキングヒータを構成している。
【００１５】
第１〜第３の３個の加熱コイル１４，１５，１６は、図３及び図４に示すようにコイルベース１７を有している。コイルベース１７は、それぞれ複数の支持脚１８（図４参照）を介して支持される。支持脚１８は、図４に示すように、棒状のコイル支え１９と、圧縮コイルばね２０を備えている。各加熱コイル１４，１５，１６は、それら支持脚１８を介して、前記ロースタ５の上面部材２１（図１参照）、後述するケース２２の上面２２ａ（図１参照）に支持されていて、圧縮コイルばね２０により上方（トッププレート３側）に付勢されている。図１には、支持脚１８の配置部分を二点鎖線にて示している。
【００１６】
本体ケース２内において、前記第１及び第２の加熱コイル１４，１５よりも前方に位置させて、表示部２５が配設されている。この表示部２５は、加熱コイル１４，１５，１６の加熱状態などを表示するもので、図５に示すように、プリント基板２６、このプリント基板２６に実装されたＬＥＤ（発光ダイオード）２７、このＬＥＤ２７を支えるＬＥＤ支え２８などを備えている。表示部２５の前方には、電極基板２９を備えたタッチセンサ式の操作部３０が設けられている。
【００１７】
前記本体ケース２内において、前記３個の加熱コイル１４，１５，１６の下方に位置させて、中空状の冷却ダクト３３が設けられている。この冷却ダクト３３は、前記ロースタ５の上面部材２１及び前記ケース２２の上面２２ａと、前記３個の加熱コイル１４，１５，１６との間に配置され、下面がそれら上面部材２１及びケース２２の上面２２ａにより閉鎖されている。この冷却ダクト３３は、外周部に設けられた複数の取付部３４を、上面部材２１及びケース２２の上面２２ａなどに、図示しないねじによりねじ止めすることにより取り付けられている。
【００１８】
冷却ダクト３３は、前部右側の第１の加熱コイル１４に対応する第１の加熱コイル対応部３５と、前部左側の第２の加熱コイル１５に対応する第２の加熱コイル対応部３６と、後部の第３の加熱コイル１６に対応する第３の加熱コイル対応部３７と、前記表示部２５に対応する表示部対応部３８を一体に有していて、上方から見てほぼ凸字形状に形成されているとともに、前部が表示部２５の下方にまで延びた形状となっている。表示部２５のプリント基板２６が、冷却ダクト３３における表示部対応部３８の上部にねじ３９（図５参照）により固定されている。また、冷却ダクト３３において、図１の右上部には、第１の加熱コイル対応部３５と第３の加熱コイル対応部３７との間に入り込むように切込み部４０が形成されている。
【００１９】
冷却ダクト３３において、前記第１の加熱コイル対応部３５、第２の加熱コイル対応部３６及び第３の加熱コイル対応部３７には、それぞれ貫通した複数の孔４１が形成されている。これら孔４１は、冷却ダクト３３内に供給された冷却風を通過させて対応する加熱コイルを冷却するための冷却孔である。前記複数の孔４１のうちの一部には、その孔４１周縁部に下方へ垂下するようにリブ４２（図３参照）が設けられている。このリブ４２は、後述する冷却ファン４３から供給された冷却風を、孔４１から対応する加熱コイル側（上方）へ案内しやすくするためのものであり、各孔２１において冷却風の流れの下流側に位置させている。図５に示すように、冷却ダクト３３における表示部対応部３８の前部には、操作部３０の下方に位置させて、冷却風吹出し口４４が形成されている。
【００２０】
本体ケース２の右後部には、前記吸気口７の前方に位置させて、１個の冷却ファン４３が配設されている。この冷却ファン４３は、図３に示すように、回転軸４８ａを上向きとしたファンモータ４８と、回転軸４８ａに取着されてファンモータ４８により回転されるファン４９と、このファン４９を囲繞するファンケーシング５０とを備えている。ファンケーシング５０は、上部に吸込口５１を有するとともに、前部に吐出口５２を有している。吸込口５１の上方には吸気ダクト５３が設けられていて、この吸気ダクト５３により、前記吸気口７と吸込口５１とを連通させている。この場合、ファン４９の回転方向は、上方から見て時計回り方向（図１において矢印Ａ方向）である。
【００２１】
本体ケース２の右前部には、冷却ファン４３の前方に位置させて、前記ケース２２が配設されている。このケース２２内には、前記３個の加熱コイル１４，１５，１６を制御するためのインバータ回路を含む制御部５５の電気部品５６が収納されている。制御部５５は、上下方向に３段に分けられている。
【００２２】
ケース２２の後部には開口部５７が形成されていて、この開口部５７が、前記ファンケーシング５０の吐出口５２に対向して連通している。ケース２２の上面２２ａにおいて、吐出口５２に臨む部分は、吐出口５２の上端部より低く形成されていて、この部分を分流板５８としている。この分流板５８は、冷却ファン４３の吐出口５２から吐出される冷却風を、上側の冷却ダクト３３側とケース２２内側とに分ける作用がある。分流板５８の後端部上方の空間部分を送風口５９としている。この送風口５９は、冷却ファン４３から冷却ダクト３３内に冷却風を送風するための入口となっている。この場合、前記冷却ダクト３３において、前記切込み部４０は、前記送風口５９の左横に位置している。
【００２３】
冷却ダクト３３内には、第２の加熱コイル対応部３６と第３の加熱コイル対応部３７との間に位置させて、第２の分流板６０（図１に点線で示す）を設けている。この第２の分流板６０の後端部６０ａは、冷却ダクト３３の後部壁の内面に連結され、前端部６０ｂは、第１の加熱コイル対応部３５と第２の加熱コイル対応部３６との中間部分まで達している。この第２の分流板６０は、第３の加熱コイル１６の外周に沿うように円弧状に湾曲している。
【００２４】
前記各加熱コイル１４，１５，１６のコイルベース１７を支持する支持脚１８のうち、その支持脚１８が冷却ダクト３３の範囲内に配置する部位においては、図４に示すように、冷却ダクト３３に当該冷却ダクト３３の上面から下方に向けて突出する円筒状の筒部６１を設け、この筒部６１の内部に支持脚１８を配置するようにしている。
【００２５】
前記ケース２２の前部の上部には、排気口６２（図３、図５参照）が形成されている。この排気口６２は、冷却ダクト３３における表示部対応部３８内に連通している。
次に上記構成の作用について、冷却ファン４３による冷却風の流れを中心に説明する。冷却ファン４３のファンモータ４８によりファン４９が回転駆動されると、その冷却ファン４３（ファン４９）の送風作用により、機外の空気が吸気口７から吸気ダクト５３、ファンケーシング５０の吸込口５１を通してファンケーシング５０内に吸い込まれる（図１及び図３の流れＢ１参照）。その吸い込まれた空気は、吐出口５２から前方に向けて吐出される。
【００２６】
吐出口３２から吐出された冷却風は、分流板５８により、上側の冷却ダクト４３側と下側のケース２２内側とに分けられる（図３の流れＢ２、流れＢ３参照）。このうち、冷却ダクト４３側に分けられた冷却風（流れＢ２）は、送風口５９から第１の加熱コイル対応部３５に導入される。第１の加熱コイル対応部３５に導入された冷却風の一部は、第１の加熱コイル対応部３５の孔４１を上方に向かって通過し、或いはリブ４２に当たることで上方へ向きが変わり、その孔４１から上方へ向かって流れる（図３の流れＢ４参照）。孔４１から上方へ向かって流れた冷却風は、第１の加熱コイル１４の下面に沿って流れるとともに、隙間から第１の加熱コイル１４の上面側にも流れ、当該第１の加熱コイル１４とトッププレート３との間の隙間を第１の加熱コイル１４の上面に沿って流れることで、第１の加熱コイル１４が上下から冷却される。
【００２７】
前記第１の加熱コイル対応部３５に導入された冷却風のうち、当該第１の加熱コイル対応部３５の孔４１を上方へ通過しなかった残りの冷却風は、当該第１の加熱コイル対応部３５の下流側へ流れていくことになる（図１の流れＢ５、流れＢ６参照）。この冷却風の流れは、冷却ファン４３が矢印Ａ方向（時計回り方向）に回転していることから、同じく時計回り方向（上から見て左奥方向）への方向性を有している。しかも、冷却ダクト３３内の下流側には第２の分流板６０が配置されているので、下流側へ流れる冷却風は、その分流板６０により第２の加熱コイル対応部３６と第３の加熱コイル対応部３７とに分けられる（流れＢ５、流れＢ６参照）。
【００２８】
そして、第２の加熱コイル対応部３６側へ流れた冷却風は、当該第２の加熱コイル対応部３６に形成された孔４１を上方へ通過し、その冷却風により第２の加熱コイル１５が、前記第１の加熱コイル１４と同様にして冷却される。また、第３の加熱コイル対応部３７側へ流れた冷却風も、当該第３の加熱コイル対応部３７に形成された孔４１を上方へ通過し、その冷却風により第３の加熱コイル１６が、前記第２の加熱コイル１５と同様にして冷却される。
【００２９】
ここで、冷却ダクト３３には、送風口５９の左横に切込み部４０を設けているので、送風口５９から冷却ダクト３３内に導入された冷却風に、その切込み部４０付近に発生しやすい剥離渦を発生し難くできる。剥離渦が発生すると、冷却風の圧力損失が大きくなり、冷却ダクト３３内を流れる風量が低下する要因となるが、そのような風量の低下を極力抑えることが可能になる。
【００３０】
第１の加熱コイル１４、第２の加熱コイル１５、第３の加熱コイル１６を冷却した冷却風の多くは、本体ケース２の左後部の本体ケース用排気口９から機外へ排出される（流れＢ７参照）。
【００３１】
また、冷却ファン４３から前記ケース２２内に導入された冷却風（図３の流れＢ３参照）は、発熱する電気部品５６を含む制御部５５を冷却しながら前方へ向けて流れる。制御部５５を冷却した冷却風は、前上部の排気口６２から冷却ダクト３３内に排出され（図３及び図５の流れＢ８参照）、冷却ダクト３３内を流れる冷却風と合流することになる。また、冷却ダクト３３における表示部対応部３８の前部には冷却風吹出し口４４が形成されているので、冷却ダクト３３内の冷却風の一部は、その冷却風吹出し口４４から操作部３０に向けて吹き出される（図５の流れＢ９参照）。その冷却風により操作部３０を冷却することができる。この場合、冷却風吹出し口４４は、表示部２５と操作部３０との間に存しているから、操作部３０だけでなく表示部２５も冷却することができる。
【００３２】
上記した第１の実施形態によれば次のような作用効果を得ることができる。
冷却ファン４３からの冷却風を第１、第２、第３の加熱コイル１４，１５，１６に導く冷却ダクト３３を、それら加熱コイル１４，１５，１６の下方に配置し、その冷却ダクト３３に、３個の加熱コイル１４，１５，１６のそれぞれに対応して複数の孔４１を形成しているので、それらの孔４１を通過した新鮮な冷却風により３個の各加熱コイル１４，１５，１６を直接的に冷却することが可能になり、それら３個の加熱コイル１４，１５，１６を効率よく冷却することが可能になる。
【００３３】
また、冷却ダクト３３の前部を、加熱コイル１４，１５，１６より前方に存する表示部２５の下方まで延ばしているので、冷却ダクト３３の前部を加熱コイル１４，１５の下方までとした場合に比べて、冷却ダクト３３の通風のための容積を大きくすることが可能になる。その分、通風抵抗を少なくでき、結果的に冷却ダクト３３を通過する冷却風の風量を増加させることが可能になり、前記３個の加熱コイル１４，１５，１６を一層効率よく冷却することが可能になる。
【００３４】
冷却ダクト３３の下方に設けられたケース２２の上部に分流板５８を設け、冷却ファン４３からの冷却風をその分流板５８により、上部の冷却ダクト３３側と、制御部５５を収納した下部のケース２２内側とに分けて（流れＢ２、流れＢ３参照）、前記３個の加熱コイル１４，１５，１６と前記制御部５５を並列的に冷却する構成とした。これにより、３個の加熱コイル１４，１５，１６も、制御部５５もそれぞれ新鮮な冷却風により効率よく冷却することができる。
【００３５】
冷却ダクト３３内に第２の分流板６０を設け、当該冷却ダクト３３内に送風された冷却風を、３個の加熱コイル１４，１５，１６のうち下流側に存する第２の加熱コイル１５側と第３の加熱コイル１６側に分けて流す構成とした（流れＢ５、流れＢ６参照）。これにより、下流側に存する第２の加熱コイル１５も第３の加熱コイル１６も、ともに一層効率よく冷却することができる。
【００３６】
制御部５５を収納したケース２２に、当該ケース２２内の制御部５５を冷却した冷却風を冷却ダクト３３内に排出する排気口６２を設けたので、制御部５５を冷却した風も、加熱コイル１４，１５，１６を冷却する冷却風に利用することができる。
【００３７】
加熱コイル１４，１５，１６の支持脚１８を冷却ダクト３３の範囲内に配置する部位において、冷却ダクト３３に当該冷却ダクト３３の上面から下方に向けて突出する筒部６１を設け、この筒部６１の内部に、前記支持脚１８を配置するようにした。これにより、支持脚１８が冷却ダクト３３を貫通する構成でありながら、冷却ダクト３３には、冷却ダクト３３内を流れる冷却風が外部へ漏れるような孔を形成しないようにでき、冷却風の漏れを防止できる。
【００３８】
表示部２５を冷却ダクト３３の上部にて支持する構成としたので、表示部２５の支持が容易にできる。また、冷却ダクト３３の前部に、操作部３０を冷却する冷却風を吹き出す冷却風吹出し口４４を設けたので（流れＢ９参照）、操作部３０も効果的に冷却することができる。
【００３９】
冷却ダクト３３は、第１、第２及び第３の３個の加熱コイル１４，１５，１６の下方に配置されて、上方から見てほぼ凸字形状に形成され、かつ冷却ファン４３から冷却ダクト３３内に冷却風を送風するための送風口５９の横に対応する部位に、第１の加熱コイル対応部３５と第３の加熱コイル対応部３７との間に入り込むような切込み部４０を有する形状とした。前記切込み部４０を形成しない場合には、冷却ファン４３の回転駆動時にその切込み部４０付近に風による剥離渦が発生し易くなるが、上記の切込み部４０を設けることにより、剥離渦を発生し難くできる。これにより、剥離渦の発生による風量の低下を防止できる利点がある。
【００４０】
（第２の実施形態）
図６は本発明の第２の実施形態を示したものであり、この第２の実施形態は上記した第１の実施形態とは次の点が異なっている。すなわち、冷却ダクト３３内において、ケース２２前部の排気口６２の後部に沿うように、区切り板６５（図６に点線で示している）を設けている。区切り板６５は、排気口６２に沿うように左右方向へ延びていて、右端部６５ａは冷却ダクト３３の右部の内面に連なり、左端部６５ｂは、第１の加熱コイル１４の左端付近まで延びている。
【００４１】
また、第２の分流板６６（これも図６に点線で示している）は、後端部６６ａは冷却ダクト３３の後部壁の内面に連結され、前端部６６ｂは、第２の加熱コイル１５の右端付近で止まっている。したがって、第２の分流板６６は、第１の実施形態の第２の分流板６０よりも長さが短くなっている。そして、第２の分流板６６の前端部６６ｂと、区切り板６５の左端部６５ｂとの間には、冷却ダクト３３内の、図６における右上部分と左下部分とを連通させる連通口６７を形成した形態となっている。
【００４２】
上記構成においては、冷却ダクト３３内に区切り板６５を設けたことにより、送風口５９から冷却ダクト３３の第１の加熱コイル対応部３５内へ送風された冷却風（流れＢ６参照）と、ケース２２内を通り排気口６２から冷却ダクト３３内へ排出された冷却風（流れＢ１０参照）とが直接合流しないようにできる。
【００４３】
また、この場合、区切り板６５と第２の分流板６６との間に連通口６７を形成しているので、冷却ファン４３に近い側の流れ（流れＢ６参照）の一部が、冷却ファン４３から遠い側の流れ（流れＢ１０参照）の方へ流れ込むことを期待できる（流れＢ１１参照）。これは、連通口６７付近において、冷却ファン４３に近い側の流れと冷却ファン４３から遠い側の流れとがほぼ同じ方向で、しかも、冷却ファン４３に近い側の流れの方の圧力が、冷却ファン４３から遠い側の流れに比べて高いため、その圧力差で冷却ファン４３に近い側の流れＢ６の一部が、冷却ファン４３から遠い側の流れＢ１０の方へ流れ込むことを期待できる（流れＢ１１参照）。これにより、冷却ファン４３から遠い側は風量が少なくなり勝ちとなるが、それを極力防止できる。
【００４４】
（その他の実施形態）
本発明は、上記した実施形態にのみ限定されるものではなく、次のように変形または拡張できる。
【００４５】
加熱コイルとしては３個に限られず、２個でも４個以上でもよい。
加熱コイルの配置は、三角形の配置に限られず、左右方向に直線状に配置してもよい。
【符号の説明】
【００４６】
図面中、１は誘導加熱調理器、２は本体ケース、３はトッププレート、７は吸気口、１４は第１の加熱コイル、１５は第２の加熱コイル、１６は第３の加熱コイル、１７はコイルベース、１８は支持脚、２２はケース、２５は表示部、３０は操作部、３３は冷却ダクト、３５は第１の加熱コイル対応部、３６は第２の加熱コイル対応部、３７は第３の加熱コイル対応部、３８は表示部対応部、４０は切込み部、４１は孔、４２はリブ、４３は冷却ファン、４４は冷却風吹出し口、５５は制御部、５８は分流板、５９は送風口、６０は第２の分流板、６１は筒部、６２は排気口、６５は区切り板、６６は第２の分流板、６７は連通口を示す。
【図１】
2010212189.tif 000003
【図２】
2010212189.tif 000004
【図３】
2010212189.tif 000005
【図４】
2010212189.tif 000006
【図５】
2010212189.tif 000007
【図６】
2010212189.tif 000008